(57)【要約】【課題】施工コストを過大にすることなく、浸水時のみに防潮機能を発揮することのできる防潮壁並びに防潮堤を提供すること。【解決手段】本発明に係る折畳式の防潮壁は、地面に固定する基台と、前記基台上面に倒伏した状態から倒立可能な支柱と、前記支柱の前面で展開可能に折り畳まれた蛇腹状の壁体と、からなる。支柱間並びに壁体を夫々ワイヤで連結し、各ワイヤを牽引することによって支柱の倒立及び壁体の展開を可能とする。【選択図】図１
2011117236.tif 000002
【特許請求の範囲】
【請求項１】
折畳式の防潮壁であって、
地面に固定する基台と、
前記基台上面で倒伏した状態から倒立可能な支柱と、
前記支柱の前面で展開可能に折り畳まれた蛇腹状の壁体と、からなる、
折畳式の防潮壁。
【請求項２】
前記支柱の頂部を経由して前記壁体に連結される第１のワイヤを更に有し、該第１のワイヤの牽引により前記壁体を展開可能に構成した、請求項１に記載の折畳式の防潮壁。
【請求項３】
請求項１又は２に記載の防潮壁を複数設置してなる、折畳式の防潮堤。
【請求項４】
防潮堤を構成する各防潮壁の支柱を互いに連結する第２のワイヤを更に有し、該第２のワイヤの牽引により前記複数の支柱を同時に倒立可能に構成した、請求項３に記載の折畳式の防潮堤。
【発明の詳細な説明】
【技術分野】
【０００１】
本発明は陸上に設置された重要施設への浸水被害を防止するための防潮壁及び防潮堤に関し、より詳しくは、通常時は折り畳んで収納しておき、浸水時に即座に展開可能な折畳式の防潮壁及び該防潮壁を用いた防潮堤に関する。
【背景技術】
【０００２】
津波や高潮、豪雨などによる陸上施設への浸水被害を防止すべく、種々の防潮堤が開発されている。
防潮堤が恒久的に設置される構造物である場合、見通しや風通しが悪くなり周辺の景観や環境に影響を与える懸念が生じることから、浸水が予測される時にのみ防潮機能を達成することが可能な防潮堤の提供が望まれている。
【０００３】
浸水時のみに防潮機能を発揮する防潮堤として、例えば跳ね上げ式の浸水防止装置がある。
【発明の概要】
【発明が解決しようとする課題】
【０００４】
しかし、従来の防潮堤では、以下の様な問題が生じる。
（１）跳ね上げ式の防潮堤では、数十ｃｍ程度の壁体を構築するに留まるため、数ｍ規模の浸水には対応できない。
（２）高さが数ｍ程度の壁体を備える跳ね上げ式の防潮堤を構築するには、出力の大きい駆動装置を使用する必要が生じるため、設備自体が大がかりとなり、設備の設置・運転コストが高くなってしまう。
【０００５】
したがって、本願発明の目的は、施工コストを過大にすることなく、浸水時のみに防潮機能を発揮することのできる防潮壁並びに防潮堤の提供を目的とするものである。
【課題を解決するための手段】
【０００６】
そこで、本願発明は、折畳式の防潮壁であって、杭によって地面に固定する基台と、前記基台上面に倒伏した状態から倒立可能な支柱と、前記支柱の前面で展開可能に折り畳まれた蛇腹状の壁体と、からなる、折畳式の防潮壁を提供するものである。
また、本願発明は、前記発明において、前記支柱の頂部を経由して前記壁体に連結される第１のワイヤを更に有し、該第１のワイヤの牽引により前記壁体を展開可能に構成することができる。
また、本願発明は、前記発明に係る防潮壁を複数設置してなる、折畳式の防潮堤を提供するものである。
また、本願発明は、前記防潮堤を構成する各防潮壁の支柱を互いに連結する第２のワイヤを更に有し、該第２のワイヤの牽引により前記複数の支柱を同時に倒立可能に構成することができる。
【発明の効果】
【０００７】
本願発明によれば、以下の効果のうち、少なくとも何れか一つを得ることができる。
（１）簡易な構造で防潮壁並びに防潮堤を構築することができ、設置・運転コストを低減することができる。
（２）浸水時のみに簡易且つ迅速に防潮壁並びに防潮堤を構築することができる。
（３）第１のワイヤの牽引により、簡易且つ迅速に壁体を展開することができる。
（４）第２のワイヤの牽引により、簡易且つ迅速に複数の支柱群を倒立することができる。
【図面の簡単な説明】
【０００８】
【図１】本発明の防潮壁の斜視図。
【図２】本発明の防潮壁の平面図。
【発明を実施するための形態】
【０００９】
図１及び２を参照しながら、本発明の折畳式の防潮壁並びに防潮堤について説明する。
【実施例】
【００１０】
＜１＞全体構成
本発明に係る防潮壁Ａ及び防潮堤Ｂは、プラントなどの重要施設の周囲に設置することにより、重要施設への浸水を防止するための構造物である。
本発明に係る防潮壁Ａは、地面に固定する基台１と、前記基台１上面で倒伏した状態から倒立可能な支柱２と、前記支柱の前面で展開可能に折り畳まれた蛇腹状の壁体３と、を少なくとも含んでなる。
前記防潮壁Ａを適宜組合せて重要施設の周囲を囲み、防潮堤Ｂを構築する。
【００１１】
＜２＞基台
基台１は浸水時の水圧や強風などの外力によって支柱や壁体が脱落等することを防止すべく、支柱２並びに壁体３を定置するための部材である。
基台１はコンクリートなどの不透過性の部材を用い、杭やアンカーなどの固定部材（図示せず）によって地面に固定される。
【００１２】
＜３＞支柱
支柱２は壁体３を支持するための部材である。
支柱２は主材２１、斜材２２及び底材２３から構成した平面視して三角形状となす支柱群を用いることができる（図２）。
底材２３を基台１にヒンジ結合等によって軸支することにより、主柱２１と斜柱２２を基台１上で倒伏並びに倒立自在とすることができる。
【００１３】
支柱２は二種類に分類することができる。
その一方は、壁体３を展開するべく後述する第１のワイヤ４を通すための滑車２１１を頂部に設けた支柱２ａと、他方は、隣り合う壁体３間の境界に設置される支柱２ｂである。
【００１４】
＜４＞壁体
壁体３は、その前面側で津波や高潮を受け止め、背面側への浸水を防止するための部材である。
壁体３は、複数のパネル３１と、該複数のパネル３１を上下方向に互いに連結するための可撓膜３２からなる。
壁体３は、通常時には折り畳まれた状態で基台１の上面や基台１の前面に別途取り付けたラックに置かれており、浸水時には上方に展開することで防潮壁として機能する。
【００１５】
（１）パネル
パネル３１は、浸水時による受圧に抵抗できる程度の剛性を有する周知の材料を用いる。パネル３１の左右端には、ゴムパッキンなどの止水材（図示せず）を設けておく。
【００１６】
（２）可撓膜
可撓膜３２は可撓性を有する周知の材料を用いる。
前記可撓膜３２はパネル３１の前面側・背面側へと交互に配置することにより、複数のパネル３１を蛇腹状に折り畳み、並びに当該折り畳まれた状態から展開自在とすることができる。
【００１７】
＜５＞第１のワイヤ
第１のワイヤ４は、壁体３に取付けた後、該ワイヤ４の牽引により壁体３を展開するための部材である。
第１のワイヤ４は、周知の索状部材を用いることができる。
第１のワイヤ４の一端を壁体３の頂部に取り付け、他端を前記滑車２１１を介して壁体３の背面側に設けた巻き上げ装置６へと取り付けておく。
上記構成により、巻き上げ装置６の駆動によって第１のワイヤ４を牽引し壁体３の上部を引き上げ、折り畳み又は展開自在とすることができる。
【００１８】
＜６＞第２のワイヤ
第２のワイヤ５は、複数の支柱２を互いに連結した後、該ワイヤ５の引き上げにより、支柱２群が倒伏した状態から同時に倒立した状態へと遷移するための部材である。
第２のワイヤ５は、周知の索状部材を用いることができる。
第２のワイヤ５は、各支柱２間を連結するように取り付けておく。第２のワイヤ５は最終的に巻き上げ装置６へと取り付けておく。
上記構成により、巻き上げ装置６の駆動によって支柱２群を同時に倒伏又は倒立自在とすることができる。
【００１９】
＜７＞使用方法
以下、本発明の防潮壁の使用方法について説明する。
【００２０】
（１）通常時
津波・高潮・海面上昇などによる浸水の危険性が無い場合には、壁体３は折り畳まれた状態であり、支柱２も倒伏させた状態である。このような状態では、防潮壁によって見通しや風通しが妨げられることはない。
【００２１】
（２）浸水時
津波・高潮などによる浸水の危険性がある場合には、第２のワイヤ５が接続されている巻き上げ装置６を直ちに駆動し、該ワイヤ５を牽引し、支柱２群を立ち上げる。
その後、第１のワイヤ４が接続されている巻き上げ装置６を駆動し、該ワイヤ４を牽引してパネル３１を上方に展開し、壁体３を構築する。
本発明によれば、二段階の巻き上げ動作のみで簡易且つ迅速に防潮壁Ａを構築することができる。
【００２２】
（３）受圧時
高潮・津波等が浸水してきた場合の防潮壁Ａの作用について説明する。
壁体３が浸水により水圧を受けると、該水圧によりパネル３１の左右端に設けてある止水材（図示せず）が支柱２ｂの主材２１に押しつけられる。上記構成により、壁体３の止水性をより向上させることができる。
【００２３】
＜８＞その他の実施例
本発明における支柱２と壁体３の配置構成は上記実施例に記載の構成に限定されるものではない。
また、支柱２の構造についても上記実施例に記載の構造に限定されるものではなく、種々の周知構造を採用することができる。
【符号の説明】
【００２４】
１  基台
２  支柱
３  壁体
４  第１のワイヤ
５  第２のワイヤ
６  巻き上げ装置
Ａ  防潮壁
Ｂ  防潮堤
【図１】
2011117236.tif 000003
【図２】
2011117236.tif 000004